(57)【要約】【課題】  無駄な部品が無く、部品点数が少ないため低コストである踏み台兼用の幼児用便器を提供する。【解決手段】  主要部品として、箱状の便器本体２と、便器本体２に装脱着可能かつ大人用の洋式便器の便座１０１に装脱着可能な幼児用便座４と、幼児用便座４の前方上面に装着可能な取っ手部５と、取っ手部５を装着した幼児用便座４の開口部を塞いで載置可能な第１蓋部６と、第１蓋部６の前方側に取り付けられて第１蓋部６と一体となって便器本体２の上面に載置可能な第２蓋部７とを有する幼児用便器とする。【選択図】  図１
2006026333.tif 000002
【特許請求の範囲】
【請求項１】
箱状の便器本体と、前記便器本体に装脱着可能かつ大人用の洋式便器の便座に装脱着可能な幼児用便座と、前記幼児用便座の前方上面に装着可能な取っ手部と、前記取っ手部を装着した幼児用便座の開口部を塞いで載置可能な第１蓋部と、前記第１蓋部の前方側に取り付けられて前記第１蓋部と一体となって前記便器本体の上面に載置可能な第２蓋部とを有することを特徴とする幼児用便器。
【請求項２】
請求項１記載の幼児用便器において、
前記第２蓋部が前記第１蓋部の裏面に装脱着可能に構成されていることを特徴とする幼児用便器。
【請求項３】
請求項１又は２記載の幼児用便器において、
前記第１蓋部が起立及び倒伏可能な第１係合部を有し、前記便器本体が起立した前記第１係合部に係合して相互に固定する第２係合部を有し、前記第１蓋部が前記便器本体に前記第１係合部と前記第２係合部との係合を介して装脱着可能であることを特徴とする幼児用便器。
【発明の詳細な説明】
【技術分野】
【０００１】
本発明は、移動可能な幼児用便器に関し、特に、幼児が大人用便器へ昇降可能な踏み台として使用できるようにした幼児用便器に関する。
【背景技術】
【０００２】
従来より、室内で用いられる移動可能な幼児用便器が知られている。幼児用便器は、特許文献１〜３に示すように、幼児の成長に合わせて、幼児が小さいときは、箱状の便器本体に幼児用便座を装着して室内で使用し、幼児が成長すると、幼児用便座を大人用洋式便器の便座に装着し、便器本体は幼児が大人用便器に昇降するための踏み台兼用となっているものがある。幼児用便座を大人用便座に装着して使用するときには、幼児用便座の位置は床面からかなり高くなり、成長した幼児でも幼児用便座に乗り降りすることが困難であり、洋式便器の傍らに踏み台が必要となる。そのため、上記特許文献１〜３では、不要になった便器本体を踏み台として利用することが提案されている。
【特許文献１】特開平８−２８０５７９号公報
【特許文献２】特開平１０−１６５３２９号公報
【特許文献３】登録実用新案公報第３０４８０２２号
【発明の開示】
【発明が解決しようとする課題】
【０００３】
しかしながら、特許文献１の幼児用便器は、便器本体に幼児用便座を装着して使用しているときには、踏み台の蓋となる天板は便器本体の下部に収納するようにしているが、この天板は踏み台として使用するまでは不要な部品であり、無駄が多く、部品点数が多くなるという問題がある。
【０００４】
また、特許文献２の幼児用便器は、踏み台として使用するときには便器本体を上下逆さまにして使用するものであるが、踏み台として使用するときには下面側が小さく、そのため不安定であるという問題がある。
【０００５】
また、特許文献３の幼児用便器は、踏み台として使用するときには、踏み台を便器本体に被せて使用するもので、別途踏み台という大きな部品が必要になり、部品点数が多く、しかも、この踏み台は踏み台として使用するとき以外は不要な部品であり、無駄が多いという問題がある。
【０００６】
本発明は、上記事情に鑑みてなされたもので、無駄な部品が無く、部品点数が少ないため低コストである踏み台兼用の幼児用便器を提供することを目的とする。
【課題を解決するための手段】
【０００７】
本発明は、上記目的を達成するため、箱状の便器本体と、前記便器本体に装脱着可能かつ大人用の洋式便器の便座に装脱着可能な幼児用便座と、前記幼児用便座の前方上面に装着可能な取っ手部と、前記取っ手部を装着した幼児用便座の開口部を塞いで載置可能な第１蓋部と、前記第１蓋部の前方側に取り付けられて前記第１蓋部と一体となって前記便器本体の上面に載置可能な第２蓋部とを有することを特徴とする幼児用便器を提供する。
【０００８】
この幼児用便器は、便器本体に幼児用便座を装着して使用しているときには、第１蓋部を幼児用便座の蓋として用い、幼児用便座を大人用の洋式便座に装着しているときには、第２蓋部を第１蓋部の前方側に取り付けて便器本体上面に天板として載置し、踏み台として使用することができる。第１蓋部と第２蓋部とが便座の蓋と踏み台として使用するときの天板を兼用しているため、部品に無駄が無く、少ない部品点数で踏み台兼用の幼児用便器を構成することができ、低コストとすることができる。
【０００９】
また、本発明は、請求項１記載の幼児用便器において、前記第２蓋部が前記第１蓋部の裏面に装脱着可能に構成されていることを特徴とする幼児用便器を提供する。
【００１０】
第２蓋部を第１蓋部に装脱着可能とすることにより、第１蓋部を幼児用便座の蓋として使用しているときに第２蓋部の保管場所に困ることが無く、しかも第２蓋部を紛失するおそれもなくなる。
【００１１】
更に、本発明は、請求項１又は２記載の幼児用便器において、前記第１蓋部が起立及び倒伏可能な第１係合部を有し、前記便器本体が起立した前記第１係合部に係合して相互に固定する第２係合部を有し、前記第１蓋部が前記便器本体に前記第１係合部と前記第２係合部との係合を介して装脱着可能であることを特徴とする幼児用便器を提供する。
【００１２】
第１係合部を倒伏することにより第１係合部を邪魔にならないようにして幼児用便座の蓋として使用することが可能であり、第１係合部を起立させることにより便器本体の第２係合部に起立させた第１係合部を嵌め込み、第１蓋部を踏み台の天板として便器本体に安定して装着することができる。
【発明の効果】
【００１３】
本発明の幼児用便器によれば、少ない部品点数で踏み台兼用の幼児用便器を構成することができ、低コストとすることができる。
【発明を実施するための最良の形態】
【００１４】
以下、本発明の幼児用便器の実施の形態について説明するが、本発明は、以下の実施の形態に限定されるものではない。
図１は、本発明の幼児用便器の一実施形態を構成する主要部品を示した分解斜視図である。図１で示した部品の左側が前方側、右側が後方側とする。この幼児用便器１は、主要部品として、箱状の便器本体２と、便器本体２の中に収容される中桶３と、便器本体２に装脱着可能かつ大人用の洋式便器の便座に装脱着可能な幼児用便座４と、幼児用便座４の前方上面に装着可能な取っ手部５と、取っ手部５の中空部に挿入可能な音声ユニット５１と、取っ手部５を幼児用便座４に取り付けるための２個のナット５２と、取っ手部５を装着した幼児用便座４の開口部を塞いで載置可能な第１蓋部６と、第１蓋部６の前方側に取り付けられて第１蓋部６と一体となって便器本体２の上面に載置可能な第２蓋部７とを有する。
【００１５】
便器本体２は、プラスチック製であり、四隅が丸みを帯び、上端が開口した矩形箱状で、平らな底板２１の周縁から内壁２２が立ち上がり、内壁２２の上端周縁から水平方向に延伸して上面２３が形成され、上面２３の周縁から側壁２４が垂下している。側壁２４は底板２１より下方に延伸し、側壁２４の下端の周縁にはエラストマー、ゴムなどの弾性部材２５が被せられ、平らな床面に置いたときに弾性部材２５が接して滑らないようになっている。内壁２２には、後述する幼児用便座４の下面から下方へ突出している一対の幅調整部材をそれぞれ避けるために側壁２４側へ凹んでいる第１収容部２６ａ、２６ｂ、及び幼児用便座４の下面から下方へ突出している一対の固定部材をそれぞれ避けるために側壁２４側へ凹んでいる第２収容部２７ａ、２７ｂが設けられている。
【００１６】
便器本体２の左右のやや後方寄りのそれぞれの上面２３には、幼児用便座４に設けられている後述する第３係合部及び第１蓋部６に設けられている後述する第１係合部と係合する第２係合部８が設けられている。第２係合部８は、すり鉢状の逆円錐台形の周面８１の底面に開口部８２が開口している形状に設けられている。
【００１７】
中桶３は、プラスチック製で、便器本体２の中に収容される大きさ、形状であり、後部に垂直方向の握り３１が設けられている。握り３１の上端部には、扁平な四角箱の薄い天板に十字状の切り込みが形成されたペーパー押さえ３２が設けられている。
【００１８】
幼児用便座４は、幼児が着座するためのもので、上面が平らになってレーストラック状の形状の樹脂製の着座部４０の外周縁から下方に延伸する外周リブ４１と着座部４０の内周縁から下方に延伸する内周リブ４２が設けられている。幼児用便座４は、便器本体２の上面２３に装脱着可能であると共に、大人用の洋式便器の便座に装脱着可能になっている。幼児用便座４の前端部の上面には、取っ手部５の取っ手基部５３下面が収まる三日月状の凹み４３が設けられ、その凹み４３の部分には取っ手基部５３下面から下方に突出している２つのボルトを通す２つのボルト穴４４が設けられ、更に、取っ手基部５３下面の左右両端部から下方に突出している２つの固定部材を通す矩形状の２つの通し孔４５が設けられている。
【００１９】
図２は幼児用便座４の裏側を示す斜視図である。幼児用便座４の裏面には、便器本体２の２つの第２係合部８と係合する２つの第３係合部４６が前後方向の中央部のやや後方寄りの左右にそれぞれ設けられている。第３係合部４６は、底面から垂直方向に突出している円筒型のリブの上部が垂直方向の切れ込みによって４分割されたそれぞれの板バネ部４６１の上端縁に外方に突出するあご部４６２が設けられた形状となっている。幼児用便座４を便器本体２に前後方向を合わせ、外周リブ４１と内周リブ４２の間に便器本体２上面２３を挟むようにすると、便器本体２の第２係合部８のすり鉢状周面８１に幼児用便座４の突出している第３係合部４６が収まる。更に、幼児用便座４を便器本体２に押し下げるように力を加えると、第３係合部４６の板バネ部４６１の先端部のあご部４６２がすり鉢状の第２係合部８の周面８１に押されてあご部４６２を支える板バネ部４６１が内側に変形しながらあご部４６２が第２係合部８の開口部８２を通ると、板バネ部４６１が弾性で復帰してあご部４６２が第２係合部８の開口部８２の周縁より外方に飛び出ることにより、あご部４６２が第２係合部８の開口部８２の下面周縁に嵌り、第３係合部４６が第２係合部８に係合し、幼児用便座４が便器本体２に装着されるようになっている。また、幼児用便座４を便器本体２から持ち上げるように離す力を加えると、第３係合部４６のあご部４６２の第２係合部８の開口部８２への嵌め込みが外れ、幼児用便座４を便器本体２から容易に脱着することができるようになっている。
【００２０】
また、幼児用便座４の裏面には、大人用の洋式便器の便座に装着するために、前後方向の中央よりやや前方寄りの位置に左右一対の幅調整部材４７が設けられ、前後方向の中央よりやや後方寄りの位置に左右一対の固定部材４８が設けられている。
【００２１】
幅調整部材４７は、幼児用便座４の裏面に一体に設けられている図示しない円筒型突起部を回転軸として、円筒状の回転部材４７１が、円筒型突起部の上端にねじ込まれたネジの頭と回転部材４７１の内面に設けられた図示しない段差部との間に介在する図示しない圧縮バネの作用で、幼児用便座４の裏面に向かって付勢された状態で、円筒型突起部の基端部の外周面に設けられた外径が大きく形成された図示しない段差部の上に乗って幼児用便座４の裏面から離間した位置で止まるように装着されている。円筒型突起部の基部側の外周面に軸方向に延びる所定の間隔の図示しない凸条が設けられ、一方、回転部材４７１の上側の内面に円筒型突起部の外周面の凸条と噛み合う図示しない凹条を有する。回転部材４７１の外周面から放射方向に延びるアーム４７２の先端部に下方に突出する円柱状の当接部４７３を有する。また、回転部材４７１の外周面に回転方向と直行する方向に延伸する円盤状の掴み部４７４が一体に設けられている。
【００２２】
バネの付勢力で、常時は回転部材４７１が幼児用便座４の裏面側に近接しており、この状態では円筒型突起部の外周面の凸条と回転部材４７１の内面の凹条が噛み合って、回転部材４７１の回転が止められ、回転部材４７１は円筒型突起部の外周面を上下に摺動可能になっている。
【００２３】
また、バネの付勢力に逆らって掴み部４７４を摘んで下方（図２では上方）に回転部材４７１を押し下げると、凸条と凹条の噛み合いが無くなり、回転部材４７１は円筒型突起部を回転軸として回転可能になる。そのため、回転部材４７１をバネの付勢力に逆らって下方に押し下げた状態で回転部材４７１を適宜回転させた後、回転部材４７１をバネの付勢力で元の位置に復帰させると、凸条と凹条の噛み合いが復帰し、その位置で回転部材４７１の回転が固定される。これによって、回転部材４７１の当接部４７３の位置を任意に変更、固定することができ、２つの幅調節部材４７の当接部４７３の間隔を任意に調節して規格が異なる大人用洋式便器の便座の内縁に当接部４７３が確実に当たるように調節することができる。
【００２４】
固定部材４８は、幼児用便座４の裏面から下方に突出する柱状体４８１の先端部に外方に突出するあご部４８２が設けられている。固定部材４８は、幼児用便座４を大人用洋式便器の便座の上に装着したときに、あご部４８２が洋式便座の下面側に突出し、幼児用便座４の外周リブ４１と柱状体４８１とあご部４８２とが大人用洋式便座の内側を上下から挟み、幼児用便座４が大人用洋式便器の便座から外れないように機能する。
【００２５】
幼児用便座４の裏側には、軟質樹脂製シートで構成されるリボン状の吊り下げフック４９が一端側がボルトで回転可能に取り付けられ、吊り下げフック４９の穴を有する先端側は幼児用便座４の外側に突出するようになっている。この吊り下げフック４９は、幼児用便座４が不要のときに、フック先端の穴を壁のフックなどに吊り下げて収納するためのものである。
【００２６】
取っ手部５の取っ手基部５３は、キャラクターの形状になっていて、底面が便器本体２の凹部４３に嵌る。取っ手基部５３の左右両端部にアーチ状の取っ手５４の基端部が結合されている。取っ手基部５３の下面には、便器本体２に設けられたボルト穴４４を通り、ナット５２で締められる２本のボルト５５（図２参照）が下方に突出している。また、取っ手基部５３の下面の左右両端部には、便器本体２に設けられた通し孔４５を通る一対の可動固定部材５６（図２参照）が突出して設けられている。図２に示すように、可動固定部材５６は、断面矩形の柱状体５６１が取っ手基部５３の下面から突出して設けられ、柱状体５６１の先端面には柱状体５６１とほぼ同じ矩形断面形の回転押さえ部５６２が回転可能に設けられている。回転押さえ部５６２は短軸円筒部５６３の下方に矩形板５６４が一体に設けられ、矩形板５６４の短辺側の上面側に突起部５６５が設けられている。回転押さえ部５６２は、矩形板５６４と短軸円筒部５６３を貫き柱状体５６１内に突入しているボルト５６６を回転軸として回転可能になっている。柱状体５６１の高さは通し孔４５を通したときに幼児用便座４の裏面とほぼ面一になる程度であり、回転押さえ部５６２を９０°回転させることによって、突起部５６５が幼児用便座４の裏面に当接すると共に、矩形板５６４の突起部５６５と反対側の面が幼児用便座４の裏面に設けられているリブの上に乗り、これにより、取っ手部５を幼児用便座４に可動固定部材５６を介して固定することができる。
【００２７】
また、取っ手基部５３の前方側には音声ユニット５１を装着するために前方側に開口を有する空洞部５５が設けられ、この空洞部５５に音声ユニット５１を装脱着することができるようになっている。音声ユニット５１は、内部に電池を装填可能であり、各種の音声を記憶し、出力するＩＣ回路とスピーカーが内蔵されている。音声ユニット５５を空洞部５５に装着し、幼児がキャラクターの形状の取っ手基部５３を下側に押すことにより、空洞部５５の中の図示しない突起によってスイッチ５１１が押され、各種の音声を発して幼児を飽きさせることがないようになっている。
【００２８】
第１蓋部６と第２蓋部７はこれらを組み合わせ、天板として便器本体２の上面を塞いで装脱着可能であり、便器本体２の上面に装着したときには、踏み台の天板として機能するようになっている。また、第１蓋部６が単独で取っ手部５を装着した幼児用便座４の開口部を塞ぐ便座蓋として機能し、そのときには、第２蓋部７を第１蓋部６の裏面に装着することによって、第２蓋部７を収納できると共に、第２蓋部７の紛失のおそれをなくすようになっている。
【００２９】
図３は、第１蓋部６の裏側と第２蓋部７の裏側とを示す平面図である。図４は、第１蓋部６の裏側に第２蓋部７を装着した状態を示す平面図である。第１蓋部６は取っ手部５を装着した便器本体２の上面の便座蓋として機能するように、取っ手基部５１の後部の形状に合わせて小判型の樹脂製の板状体から前面部の左右を複雑な形状の屈曲部に切り取り、前面部中央部を左右方向に平行な面にし、周縁に周縁リブ６１を一体に垂下させて設け、前面部中央に周縁リブ６１の高さの約半分の厚さの円弧状の円弧状突出板６２を周縁リブ６１の下部に設けたような形状となっている。第１蓋部６の裏面には太い線で示した補強リブが設けられている。円弧状突出板６２の上面（図１参照）には長溝状の係合溝６３が設けられており、一方、第２蓋部７の裏面にはこの係合溝６３に嵌る係合リブ７１が突出して設けられている。
【００３０】
第１蓋部６の裏面のやや後方よりの左右両端部には、便器本体２の第３係合部８と係合する一対の第１係合部９が設けられている。この第１係合部９は、図３に示すような起立状態と、図４に示すような倒伏状態とが可能となっており、四角筒状の基部９１の中にボルトで固定された支持台９２に固定された破線で示す軸棒９３が通り、軸棒９３を中心として基部９１が回転可能に支持されている。第１係合部９を起立させたときに基部９１の四角筒の４面の外周面の矩形底面が第１蓋部６の裏面に当接し、起立状態を維持できるようになっている。四角筒状の基部９１には、外周矩形面から垂直方向に突出している円筒型リブ９５の上部が円筒型リブ９５の軸方向に延伸するスリットによって４分割された板バネ部９６それぞれの上端縁に外方に突出するあご部９７が設けられている。また、図４に示すように、第１係合部９が倒伏するときに円筒型リブ９５の両側に当接する突起部９８が第１蓋部６の裏面に設けられており、第１係合部９を倒伏させたときに第１係合部９の円筒型リブ９５に両側から当接することにより、倒伏状態を維持できるようになっている。
【００３１】
また、第１蓋部６の裏面の中央部の前方寄り及び後方寄りの位置に一対の円筒型リブ６４，６５が突出して設けられている。一方、第２蓋部７の裏面には、これらの円筒型リブ６４，６５と係合する一対の円筒型リブ７２，７３が設けられている。
【００３２】
第２蓋部７は前方側が便器本体２の前部形状と一致する円弧状になっており、後方側の左右は第１蓋部６の前方側の左右の屈曲部の形状と一致する複雑な形状の屈曲部となっており、後方側の中央部は円弧状突出板６２の外形形状と一致する円弧状の凹みが形成され、これらの周縁に下方に垂下する周縁リブ７４が設けられている。円弧状の凹みには、第１蓋部６の円弧状突出板６２と係合する円弧状凹み部７５が設けられ、円弧状凹み部７５の上面は第２蓋部７の上面と面一になっており、裏側が周縁リブ７４の約半分の厚さになっている。また、円弧状凹み部７５の裏面に第１蓋部７の係合溝６３に嵌り込む係合リブ７１が突出して設けられている。
【００３３】
第２蓋部７の左右方向の屈曲部の周縁リブ７４には、周縁リブ７４に垂直方向に２箇所切り込みを入れた一対のバネ状リブ７７が形成され、バネ状リブ７７の先端には外方に突出するあご状の係合凸部７８が設けられている。一方、第１蓋部６の前方側の屈曲部の周縁リブ６１の第２蓋部７の係合凸部７８と対応する位置には、周縁リブ６１の上端縁から矩形状に凹んだ一対の切り欠き部形状の係合凹部６７が設けられている。
【００３４】
第１蓋部６と第２蓋部７とを組み合わせるには、第１蓋部６の上面に対し第２蓋部７の上面を合わせ、第２蓋部７の前方側を下側にして傾け、第１蓋部６のそれぞれの係合凹部６７に第２蓋部７のそれぞれの係合凸部７８を嵌め込みながら、第２蓋部７の上面を第１蓋部の上面と同一平面となるように傾きを直すようにすることにより、第２蓋部７の係合リブ７１が第１蓋部６の係合溝６３に嵌り込み、円弧状凹部７５の周縁リブ７４が円弧状突出板６２の外周縁に当接する。これによって第２蓋部７を第１蓋部６に組み合わせ、便器本体２の天板として機能させることができる。
【００３５】
また、図４に示すように、第１蓋部６の裏面の一対の円筒リブ６４，６５に第２蓋部７の裏面の一対の円筒リブ７２，７３を嵌め込むことにより、第２蓋部７を第１蓋部６の裏面に装着することができる。
【００３６】
このような主要部品で構成される本実施形態の幼児用便器１の使用方法について説明する。使用に際し、幼児用便座４に取っ手部５を装着する。取っ手基部５３の底面から突出している一対のボルト５５を幼児用便座４のボルト穴４４に挿入すると共に、取っ手基部５３から突出している一対の可動固定部材５６を幼児用便座４の一対の通し孔４３を通し、幼児用便座４の裏面から通し孔４３を通って突出している可動固定部材５６の先端部の回転押さえ部５６２を約９０°それぞれ回すことにより、回転押さえ部５６２の突出部５６５が幼児用便座４の裏面に当接すると共に、回転押さえ部５６２の突出部５６５と反対側の面がリブに当接し、取っ手部５は幼児用便座４に固定される。そして、幼児用便座４の裏面に突出している一対のボルト５５にそれぞれナット５２をねじ入れ、合計４箇所で取っ手部５を幼児用便座４に固定する。
【００３７】
幼児が小さいときには、便器本体２に幼児用便座４を装着して幼児用便器１を室内用の移動可能な便器として使用する。中桶３を便器本体２の中に収容し、便器本体２の上面に前後方向を合わせて幼児用便座４を載置すると、便器本体２の一対の第３係合部８のすり鉢状の斜面８１に幼児用便座４の第２係合部４６の突出した先端部が載置され、更に幼児用便座４を便器本体２に押し下げるように力を加えると、第２係合部４６のあご部４６２が第３係合部８の開口部８２を板バネ４６１を内方に屈曲させながら通り抜けた後、開口部８２の周縁に第２係合部４６のあご部４６２が噛み合い、これにより、便器本体２に幼児用便座４が装着される。
【００３８】
図５は、幼児用便座４が装着された便器本体２の上面に第２蓋部７が裏側に装着された第１蓋部６を載置した状態を示すやや斜め後ろ側から見た斜視図である。第１蓋部６の前方側の左右の屈曲部が取っ手部５の取っ手基部５３の後端部に密着すると共に、第１蓋部６の円弧状突出板６２が便器本体２の開口部の前方側の円弧状部分を塞ぎ、第１蓋部６が便器本体２の開口部を塞いで、便器本体２の便座蓋として機能している状態を示す。この場合は、第１蓋部７の第１係合部９は倒伏した状態としておく。用を足すときには、第１蓋部６を便器本体２から取り外し、幼児は取っ手５４を握って安定した状態で用を足すことができる。幼児の便は中桶３の中に収容される。この際に、幼児は、キャラクターの形状の取っ手基部５３を興味に応じて下側へ押すと、音声ユニット５１のスイッチ５１１が押され、音声ユニット５１が音声を発し、幼児が飽きることを防止することができる。
【００３９】
使用後は、便器本体２を押さえながら幼児用便座４を上に引き上げることにより、第２係合部４６のあご部４６２と第３係合部８の開口部８２周縁との噛み合いを強制的に外して係合を解除することができ、便器本体２から幼児用便座４を脱着させることができる。そして、便器本体２から中桶３を取り出し、便を捨てて中桶３を洗浄することにより、清潔な状態を維持することができる。
【００４０】
幼児が少し成長し、大人用洋式便器に乗れるようになったら、図６に示すように、便器本体２から幼児用便座４を分離し、取っ手部５を装着した幼児用便座４を大人用洋式便器１００の便座１０１に装着して使用する。幼児用便座４を大人用洋式便器１００の便座１０１に装着するときには、幅調節部材４７を操作し、前述したように、大人用洋式便器の便座１０１の内縁間の距離に幅調整部材４７の当接部４７３間の距離を調節しておく。固定部材４８は、幼児用便座４を大人用洋式便器の便座１０１の上に装着したときに、あご部４８２が洋式便座１０１の下面側に突出し、幼児用便座４の外周リブ４１と柱状体４８１とあご部４８２とが大人用洋式便座１０１の内方の周縁部を上下から挟み、幼児用便座４が大人用洋式便器の便座から外れないように機能する。図６に示すように、固定部材４８のあご部４８２が大人用洋式便座１０１の後側の内周縁の下になるように配置すると共に、前方側の幅調整部材４７を大人用洋式便器の便座１０１の内周縁に嵌め込むようにすると、大人用洋式便器の便座１０１に幼児用便座４を装着することができる。
【００４１】
図７は、便器本体２に第１蓋部６と第２蓋部７を一体に天板として機能するように組み合わせて被せ、踏み台１ｂとして使用する状態を示す斜め前方側から見た斜視図である。幼児用便座４を大人用洋式便器の便座１０１に装着して使用したときには、残った便器本体２に中桶３を収納し、第１蓋部６と第２蓋部７を一つの蓋として機能するように組み合わせ、第１係合部９を起立させ、便器本体２に前後方向を合わせて載置すると、便器本体２の一対の第３係合部８のすり鉢状の斜面８１に第１蓋部６の第１係合部９の突出した先端部が載置され、更に第１蓋部６を押し下げるように力を加えると、第１係合部９のあご部９７が第１係合部８の開口部８２を板バネ部９６を内側に屈曲させながら通り抜けた後、開口部８２の周縁に第１係合部９のあご部９７が噛み合い、これにより、便器本体２に第１蓋部６と第２蓋部７を組み合わせた天板が装着される。これによって、天板が不用意に便器本体２から外れることが無く、安全性に優れた踏み台１ｂとして使用することができる。
【００４２】
幼児が小さいときは、大人が抱き上げて幼児用便座４に座らせるが、幼児が大きくなって一人で大人用洋式便器の便座１０１に座ることができるようになったときは、図７に示した便器本体２と蓋部６，７を組み合わせた踏み台１ｂを、幼児が大人用洋式便器の便座１０１に昇降するための踏み台として使用する。
【００４３】
このように、本実施形態の幼児用便器１は、移動可能な便器として使用する際には、第２蓋部７を第１蓋部６に装着して移動可能な便器の便座蓋として利用し、幼児の成長に合わせて、幼児用便座４を大人用洋式便器の便座１０１に装着して使用する際には、便器本体２と蓋部６，７を組み合わせて踏み台１ｂとして使用できる。そのため、部品に無駄が無く、しかも部品を紛失するおそれが無く、低コストとすることができる。
【００４４】
上記説明では、第２係合部と第３係合部の係合、第２係合と第３係合部との係合は、あご状の突起が開口部周縁に噛み合うように示したが、係合の機構はこれに限定されるものではない。
【００４５】
また、取っ手部の幼児用便座への取付機構、幼児用便座の大人用便座への取付機構なども上記説明に限定されるものではない。
【産業上の利用可能性】
【００４６】
本発明の幼児用便器は、移動可能な幼児用の便器として利用できる。
【図面の簡単な説明】
【００４７】
【図１】本発明の幼児用便器の一実施形態を構成する主要部品を示した分解斜視図である。
【図２】幼児用便座の裏側を示す斜視図である。
【図３】第１蓋部と第２蓋部のそれぞれ裏側を示す平面図である。
【図４】第２蓋部を第１蓋部の裏側に装着した状態を示す平面図である。
【図５】幼児用便座が装着された便器本体に第２蓋部を載置した状態を示すやや斜め後側から見た斜視図である。
【図６】大人用洋式便器の便座に幼児用便座を装着した状態を示す上面図である。
【図７】便器本体に第１蓋部と第２蓋部を一つの蓋として機能するように組み合わせて被せ、踏み台として使用する状態を示す斜め前方側から見た斜視図である。
【符号の説明】
【００４８】
１：      幼児用便器
１ｂ：    踏み台
２：      便器本体
２３：    上面
３：      中桶
４：      幼児用便座
４１：    外周リブ
４２：    内周リブ
４３：    凹部
４６：    第２係合部
４７：    幅調整部材
４８：    固定部材
５：      取っ手部
５１：    音声ユニット
５２：    ナット
５３：    取っ手基部
５４：    取っ手
５６：    可動固定部材
６：      第１蓋部
７：      第２蓋部
８：      第３係合部
９：      第１係合部
【図１】
2006026333.tif 000003
【図２】
2006026333.tif 000004
【図３】
2006026333.tif 000005
【図４】
2006026333.tif 000006
【図５】
2006026333.tif 000007
【図６】
2006026333.tif 000008
【図７】
2006026333.tif 000009